(57)【要約】      （修正有）【課題】ネットワーク機能を備えた撮像装置において、記録済みの映像をネットワーク経由で送信する動作と、映像を記録する動作との同時実行を、高い性能を備えていない記録媒体でも実現する。【解決手段】撮像装置１００は、撮像によって映像データを生成する撮像部１１０と、第１の記録媒体に接続可能な第１のインターフェース１７０と、第２の記録媒体に接続可能な第２のインターフェース１８０と、ネットワークに接続してデータの送受信を行うネットワーク通信部１６０と、第１および第２の記録媒体への映像データの記録を制御するコントローラ１４０とを備える。コントローラ１４０は、第１の記録媒体に記録された映像データがネットワーク通信部１６０を介してネットワークに送信されるタイミングと撮像部１１０による撮像のタイミングとが重なるときには、撮像によって生成される映像データを第２の記録媒体に記録するように映像データの記録を制御する。【選択図】図２
2013214346.tif 000002
【特許請求の範囲】
【請求項１】
撮像によって映像データを生成する撮像部と、
第１の記録媒体に接続可能な第１のインターフェースと、
第２の記録媒体に接続可能な第２のインターフェースと、
ネットワークに接続してデータの送受信を行うネットワーク通信部と、
前記第１および第２の記録媒体への前記映像データの記録を制御するコントローラであって、前記第１の記録媒体に記録された映像データが前記ネットワーク通信部を介して前記ネットワークに送信されるタイミングと前記撮像部による撮像のタイミングとが重なるときには、前記撮像によって生成される映像データを前記第２の記録媒体に記録するように前記映像データの記録を制御するコントローラと、
を備える撮像装置。
【請求項２】
前記コントローラは、前記撮像部によって生成された第１の映像データを前記第１の記録媒体に記録している最中に、前記第１の記録媒体に記録された第２の映像データの前記ネットワークへの送信が開始されるとき、前記第１の映像データの記録先を、前記第１の記録媒体から前記第２の記録媒体に変更する、請求項１に記載の撮像装置。
【請求項３】
前記コントローラは、前記第１の記録媒体に記録された映像データが前記ネットワークに送信されている最中に、前記撮像部による新たな撮像が開始されるとき、前記新たな撮像によって生成される映像データを、前記第２の記録媒体に記録するように、前記映像データの記録を制御する、請求項１または２に記載の撮像装置。
【請求項４】
前記撮像部によって生成された映像データのうち、前記ネットワーク通信部を介して前記ネットワークに送信すべき映像データを特定する情報を格納するメモリをさらに備え、
前記コントローラは、前記情報に基づいて、前記ネットワークに送信すべき映像データを決定する、
請求項１から３のいずれかに記載の撮像装置。
【請求項５】
前記情報をユーザが設定するための操作部をさらに備えている、請求項４に記載の撮像装置。
【請求項６】
前記情報は、他の機器から前記ネットワーク通信部を介して入力される、請求項４または５に記載の撮像装置。
【請求項７】
前記コントローラは、前記第２の記録媒体に記録された映像データが前記ネットワーク通信部を介して前記ネットワークに送信されるタイミングと前記撮像部による撮像のタイミングとが重なるときには、前記撮像によって生成される映像データを前記第１の記録媒体に記録するように前記映像データの記録を制御する、請求項１から６のいずれかに記載の撮像装置。
【請求項８】
第３の記録媒体に接続可能な第３のインターフェースをさらに備え、
前記コントローラは、前記第２の記録媒体に記録された映像データが前記ネットワーク通信部を介して前記ネットワークに送信されるタイミングと前記撮像部による撮像のタイミングとが重なるときには、前記撮像によって生成される映像データを前記第３の記録媒体に記録するように前記映像データの記録を制御する、請求項１から６のいずれかに記載の撮像装置。
【請求項９】
撮像によって映像データを生成する撮像部と、第１の記録媒体に接続可能な第１のインターフェースと、第２の記録媒体に接続可能な第２のインターフェースと、ネットワークに接続してデータの送受信を行うネットワーク通信部と、前記第１および第２の記録媒体への前記映像データの記録を制御するコントローラと、
を備える撮像装置を制御するためのプログラムであって、
前記コントローラに対して、前記第１の記録媒体に記録された映像データが前記ネットワーク通信部を介して前記ネットワークに送信されるタイミングと前記撮像部による撮像のタイミングとが重なるときには、前記撮像によって生成される映像データを前記第２の記録媒体に記録するように前記映像データの記録を制御するステップを実行させるプログラム。
【発明の詳細な説明】
【技術分野】
【０００１】
本開示は、ネットワーク機能を備えた撮像装置に関する。
【背景技術】
【０００２】
動画を記録および再生する撮像装置に、ネットワーク機能を搭載した例が知られている。
【０００３】
特許文献１には、ネットワーク機能を用いて、撮像装置をインターネットに接続する例が開示されている。この撮像装置は、撮影した映像を再生することに加えて、ネットワークに送信することができる。これにより、撮影現場で収録された映像を、インターネットを介して遠隔地で視聴する事ができる。
【先行技術文献】
【特許文献】
【０００４】
【特許文献１】特開２００１−２３８１６０号公報
【発明の概要】
【発明が解決しようとする課題】
【０００５】
特許文献１に開示された撮像装置では、撮影済みの映像をネットワークへ送信している間、撮像装置が新たな映像記録を同時に行う場合に課題が生じる。すなわち、撮像装置が記録媒体から映像データを読み出している間に新たな記録動作を開始するためには、記録媒体には同時に記録および再生すること（以下、「同時録再」と呼ぶ。）が可能な高い性能が必要になる。特に映像データのビットレートが高いほど、記録媒体には同時録再のための高い転送性能が要求されるため、記録媒体や周辺のハードウェアのコストが高くなるという課題が生じる。一方、コストを抑えるため、同時録再の性能を備えていない記録媒体にのみ記録可能な撮像装置では、当該記録媒体からネットワークへの送信および当該記録媒体へのデータの記録を同時に行うことができない。
【０００６】
本開示は、同時録再に必要な高い性能を備えていない記録媒体を用いる場合であっても、ネットワークを介した映像データの送信と、記録媒体への映像データの記録とを同時に行うことができる撮像装置を提供する。
【課題を解決するための手段】
【０００７】
本開示の一実施形態における撮像装置は、撮像によって映像データを生成する撮像部と、第１の記録媒体に接続可能な第１のインターフェースと、第２の記録媒体に接続可能な第２のインターフェースと、ネットワークに接続してデータの送受信を行うネットワーク通信部と、前記第１および第２の記録媒体への前記映像データの記録を制御するコントローラとを備える。前記コントローラは、前記第１の記録媒体に記録された映像データが前記ネットワーク通信部を介して前記ネットワークに送信されるタイミングと前記撮像部による撮像のタイミングとが重なるときには、前記撮像によって生成される映像データを前記第２の記録媒体に記録するように前記映像データの記録を制御する。
【発明の効果】
【０００８】
本開示の技術によれば、ネットワークを介して映像データを送信する撮像装置において、映像データの送信と、撮影および記録の動作とを同時に行うことが可能となる。これにより、撮像装置の利便性が向上する。また、高いビットレートの映像データを扱う撮像装置であっても、記録媒体および周辺のハードウェアのコストを抑えることができる。
【図面の簡単な説明】
【０００９】
【図１】本開示における撮像装置が接続されるネットワーク構成の一例を示す図である。
【図２】撮像装置の基本構成を示すブロック図である。
【図３】撮像装置における映像データの送信および記録の制御の例を示す図である。
【図４】撮像装置における映像データの送信および記録の制御の他の例を示す図である。
【図５】実施の形態１および実施の形態２における撮像装置の概略構成を示すブロック図である。
【図６】実施の形態１における映像データの送信および記録の制御を示す図である。
【図７】実施の形態１におけるコントローラが実行する処理を示すフローチャートである。
【図８】実施の形態２におけるコントローラが実行する処理を示すフローチャートである。
【図９】実施の形態３における撮像装置の概略構成を示すブロック図である。
【図１０】実施の形態３における映像の送信順序を管理する送信リストの例を示す図である。
【図１１】実施の形態３における映像データの送信および記録の制御を示す図である。
【図１２】他の実施の形態における撮像装置の概略構成を示す図である。
【発明を実施するための形態】
【００１０】
以下、適宜図面を参照しながら、実施の形態を詳細に説明する。但し、必要以上に詳細な説明は省略する場合がある。例えば、既によく知られた事項の詳細説明や実質的に同一の構成に対する重複説明を省略する場合がある。これは、以下の説明が不必要に冗長になるのを避け、当業者の理解を容易にするためである。
【００１１】
なお、発明者らは、当業者が本開示を十分に理解するために添付図面および以下の説明を提供するのであって、これらによって特許請求の範囲に記載の主題を限定することを意図するものではない。
【００１２】
まず、図１〜４を参照しながら、本開示の実施形態における撮像装置の基本概念を説明する。
【００１３】
本開示における撮像装置は、例えば業務用のビデオカメラであり、テレビ番組のニュースなどで放送される映像を取材現場において記録するために用いられ得る。この撮像装置は、取材現場で撮影によって取得した映像を、ネットワークを介して遠隔地の放送局やデータセンタ等に送信することができる。
【００１４】
図１は、撮像装置１００が、ネットワーク２１０を介して放送局２２０およびサーバー２３０に接続されている状況を示す図である。撮像装置１００は、ネットワーク２１０を介して放送局２２０の局内ネットワークまたは遠隔地に設けられたサーバー２３０に映像データを送信することができる。ここで、ネットワーク２１０は、任意の電気通信ネットワークであり、例えばインターネット、専用回線、ローカルエリアネットワーク（ＬＡＮ）を含み得る。また、ネットワーク２１０は、有線に限らず無線によるネットワークも含み得る。以下の説明では、撮像装置１００がネットワーク２１０にデータを送信することを「ネットワーク送信」と呼ぶ。
【００１５】
撮像装置１００が撮影によって記録する映像は、そのまま放送に用いられる場合がある。このため、当該映像には高い画質が要求される。したがって、そのデータ量は大きく、送信に長時間を要する場合がある。例えば、毎秒１００メガビットの映像データを１００秒間送信する場合、通信速度が仮に１００Ｍｂｐｓであるとすると、送信に１００秒もの時間を要することになる。通信速度が仮に１Ｇｂｐｓであったとしても１０秒を要する。
【００１６】
撮像装置１００に接続された記録媒体に同時録再のための性能が備わっていない場合、ネットワーク送信のために記録媒体からデータが読み出されている間は、当該記録媒体に新たなデータを記録することはできない。したがって、データ量の大きい高画質の映像データを送信する場合、映像データを記録できない時間が長くなるため、突発的に発生した重要なシーンの撮影機会を逃すことになる。一方、映像データの記録を実行している間、記録中の記録媒体に既に記録されているデータを送信する必要性が生じた場合、記録が完了するまでデータ送信を待機させるか、記録を中断してデータ送信を開始する必要がある。いずれの場合も、映像データの送信と記録とを同時に行うことはできない。
【００１７】
撮像装置１００に接続された記録媒体および周辺のハードウェアが同時録再に対応していれば、このような問題は生じない。しかし、そのような高い性能を記録媒体および周辺のハードウェアに要求することは、コスト面で課題がある。
【００１８】
そこで、本開示の実施形態における撮像装置１００は、ネットワーク２１０を介したデータ送信と記録媒体へのデータ記録とを同時に行う必要性が生じた場合、特定の記録媒体へのデータの書込みと読出しが同時に発生しないように制御される。これにより、記録媒体および周辺のハードウェアが同時録再に対応していない場合であっても、データの送信と記録とを同時に実行することが可能となる。
【００１９】
以下、撮像装置１００の構成および動作の概要を説明する。
【００２０】
図２は、撮像装置１００の基本構成を示すブロック図である。撮像装置１００は、撮像によって映像データを生成する撮像部１１０と、第１の記録媒体２７０に接続可能な第１のインターフェース１７０と、第２の記録媒体２８０に接続可能な第２のインターフェース１８０と、ネットワークに接続してデータの送受信を行うネットワーク通信部１６０と、第１の記録媒体２７０および第２の記録媒体２８０への映像データの記録を制御するコントローラ１４０とを備える。コントローラ１４０は、第１の記録媒体２７０に記録された映像データがネットワーク通信部１６０を介してネットワーク２１０に送信されるタイミングと撮像部１１０による撮像のタイミングとが重なるときには、当該撮像によって生成される映像データを第２の記録媒体２８０に記録するように映像データの記録を制御する。
【００２１】
このような構成により、第１の記録媒体２７０に記録された映像データの送信と、第１の記録媒体２７０への映像データの記録とが競合する場合には、映像データの記録先が第２の記録媒体２８０にシフトされる。その結果、映像データの送信中であっても新たな映像データを記録することが可能になる。
【００２２】
図３は、第１の記録媒体２７０および第２の記録媒体２８０について、映像データ（映像ファイル）の記録およびネットワーク送信のタイミングの例を示す図である。この例では、撮影によって「映像ファイル１」が第１の記録媒体２７０に記録されている最中に、第１の記録媒体２７０に既に記録されている「映像ファイル０」の送信を開始する場合を想定している。第１の記録媒体２７０への「映像ファイル１」の記録中、第１の記録媒体２７０に既に記録されている「映像データ０」のネットワーク２１０への送信の指示が出されると、「映像ファイル１」の記録は停止し、「映像データ０」の送信が開始する。その際、コントローラ１４０は、映像データの記録先を第１の記録媒体２７０から第２の記録媒体２８０へと変更する。その結果、第２の記録媒体２８０への「映像ファイル２」の記録が開始する。ここで、「映像ファイル１」および「映像ファイル２」は、連続する映像が２つのファイルに分割されて記録されたものである。これらのファイルには、例えばその直前および直後の映像ファイルを示す情報が記録され得る。これにより、分断されたファイルの連続性は失われず、一連の映像として再生することが可能である。
【００２３】
なお、図３に示す例では、ネットワーク送信が完了した後も「映像ファイル２」の記録が継続されているが、ネットワーク送信が完了した後、記録先を第１の記録媒体２７０に戻してもよい。この場合、第２の記録媒体２８０への「映像ファイル２」の記録は完了し、新たな映像ファイルが第１の記録媒体２７０に記録される。また、図３に示す例では、映像ファイル２が１つのファイルとして示されているが、２以上のファイルに分割されて記録されてもよい。例えば、ＦＡＴ３２のファイルシステムに基づいて映像ファイルが作成される場合、１ファイルのサイズの上限である４ＧＢを超える映像データは、２以上のファイルに分割されて記録される。
【００２４】
図４は、上記の例とは逆に、第１の記録媒体２７０に記録された映像データをネットワーク２１０に送信している最中に、第１の記録媒体２７０に新たな映像データを記録しようとする場合の例を示している。この例では、第１の記録媒体２７０に記録された「映像ファイル０」をネットワーク２１０に送信している最中に、第１の記録媒体２７０への記録開始の指示が出された場合を想定する。この場合、コントローラ１４０は、映像データの記録先を、当初予定されていた第１の記録媒体２７０から第２の記録媒体２８０に変更する。その結果、第１の記録媒体２７０からのネットワーク送信は継続したまま、第２の記録媒体２８０への「映像ファイル１」の記録が開始される。これにより、映像データの送信中であっても、送信を継続しながら、新たな映像データを記録することができるため、重要なシーンの撮影機会を逃すことはない。なお、この例でもネットワーク送信が完了したとき、記録先を第１の記録媒体２７０に戻してもよい。
【００２５】
以上のように、本開示の技術によれば、映像データの送信と記録とが競合する場合であっても、映像データの記録先を適切に制御することにより、送信と記録とを同時に実行することが可能となる。その結果、同時録再に必要な性能を満たしていない安価な記録媒体を用いたとしても、送信と記録とを同時に行うことができる。すなわち、装置のコストを低減させながらも、必要な性能を確保することができる。なお、本開示の技術は、同時録再ができない安価な記録媒体のみならず、同時録再が可能な高性能な記録媒体に映像データを記録する場合にも当然に適用され得る。
【００２６】
以下、図５〜１２を参照しながら、より具体的な実施の形態を説明する。
【００２７】
（実施の形態１）
まず、第１の実施の形態による撮像装置を説明する。本実施の形態における撮像装置は、圧縮率の異なる２種類のエンコーダを備え、高画質の映像データと低画質の映像データとを同時に記録することができる。また、ネットワークを介して遠隔地の放送局やデータセンタ等に設けられたサーバーやストレージに、これらの映像データを送信することができる。撮像装置は、撮影中、すなわち映像データの記録中に放送局等からの送信要求に応じて、記録済みの高画質映像または低画質映像のデータを送信することができる。
【００２８】
［１−１．構成］
図５は、本実施の形態における撮像装置２００の構成を表すブロック図である。撮像装置２００は、撮像部１１０、高画質エンコーダ１２０、低画質エンコーダ１３０、コントローラ１４０、バス１５０、ネットワーク通信部１６０、第１のインターフェース１７０、第２のインターフェース１８０、およびメモリ１９０を含む。第１のインターフェース１７０は第１の記録媒体２７０を電気的に接続することが可能であり、第２のインターフェース１８０は第２の記録媒体２８０を電気的に接続することが可能である。
【００２９】
撮像部１１０は、レンズやイメージセンサなどの光学手段を含み、高画質エンコーダ１２０および低画質エンコーダ１３０に接続される。高画質エンコーダ１２０、低画質エンコーダ１３０、コントローラ１４０、ネットワーク手段１６０、第１のインターフェース１７０、第２のインターフェース１８０、メモリ１９０は、それぞれバス１５０に接続され、相互に電気信号のやりとりができるように構成されている。
【００３０】
撮像部１１０は、複数のレンズから構成される光学系と、光学系によって形成される像を電気信号に変換して出力するイメージセンサと、イメージセンサから出力された電気信号を処理して映像信号として出力する信号処理部とを有する。光学系には、ズームレンズ、フォーカスレンズ、手振れ補正レンズ等の複数のレンズが含まれ得る。イメージセンサは、例えばＣＣＤやＣＭＯＳ等の公知の撮像素子である。信号処理部は、例えば公知のデジタル信号処理プロセッサによって実現され得る。
【００３１】
高画質エンコーダ１２０および低画質エンコーダ１３０は、撮像部１１０から出力された映像信号を符号化し、高画質映像データおよび低画質映像データにそれぞれ変換して出力する回路である。ここで、「高画質」および「低画質」の用語は、絶対的な画質の程度に関わらず、相対的な画質の程度を表す。すなわち、２種類の映像のうち、画質が相対的に高いものを「高画質」であるとし、画質が相対的に低いものを「低画質」であるものとする。したがって、高画質エンコーダ１２０は、相対的に低い圧縮率で映像データを符号化することにより、高画質映像データを出力し、低画質エンコーダ１３０は、相対的に高い圧縮率で映像データを符号化することにより、低画質映像データを出力する。
【００３２】
第１の記録媒体２７０および第２の記録媒体２８０は、例えば汎用のメモリカードである。第１のインターフェース１７０および第２のインターフェース１８０は、それぞれ第１の記録媒体２７０および第２の記録媒体２８０に接続可能に構成されたカードスロットである。記録媒体は、この例に限らず、例えば光ディスクや磁気ディスクのような他の種類の記録媒体であってもよい。
【００３３】
コントローラ１４０は、例えば集積回路によって構成されたハードウェアと制御プログラム等のソフトウェアとの組み合わせによって好適に実現され得る。コントローラ１４０は、例えば汎用のマイクロプロセッサやマイクロコントローラ（マイコン）であり得る。コントローラ１４０は、メモリ１９０に格納された制御プログラムを実行することにより、後述する動作を実現する。なお、コントローラ１４０は、後述する動作を実行するように構成されていれば、物理的にどのように構成されていてもよい。例えば、コントローラ１４０をハードウェアのみで構築することも可能である。また、コントローラ１４０は、１つの素子で構成してもよいし、複数の素子を組み合わせて構成してもよい。さらに、コントローラ１４０と別の機能を有する部材とを１つの素子で構成してもよい。
【００３４】
ネットワーク通信部１６０は、例えば汎用のネットワークアダプタであり、有線または無線により、外部ネットワーク２１０に接続され得る。ネットワーク通信部１６０は、外部ネットワーク２１０へのデータの送信および外部ネットワーク２１０からのデータの受信を制御する。
【００３５】
メモリ１９０は、例えばＤＲＡＭやフラッシュメモリや強誘電体メモリ等である。メモリ１９０には、前述の制御プログラムや、コントローラ１４０の処理の過程で発生する種々のデータが記録される。
【００３６】
バス１５０は、撮像装置２００の内部の回路間で信号の交換を行う信号線である。これにより、撮影した映像を記録媒体２７０、２８０に記録したり、記録媒体２７０、２８０に記録されたデータをネットワーク通信部１６０を介して外部に送信することができる。
【００３７】
なお、撮像装置２００は、上記の要素以外にも、例えば、音声を記録するマイク、手振れ補正のためのジャイロセンサ、電源、フラッシュライト等の公知の要素を含み得るが、本実施形態の本質とは関係がないため、それらの説明は省略する。
【００３８】
［１−２．動作］
次に、以上のように構成された撮像装置２００の動作を説明する。撮像部１１０が撮像によって生成した映像信号は、高画質エンコーダ１２０および低画質エンコーダ１３０によって同時に圧縮される。高画質エンコーダ１２０は、映像信号を相対的に低い圧縮率または非圧縮で符号化する。従って、高画質エンコーダ１２０から単位時間あたりに出力される映像データ量は相対的に大きくなる。一方、低画質エンコーダ１３０は、映像信号を相対的に高い圧縮率で符号化する。従って、低画質エンコーダ１３０から単位時間あたりに出力される映像データ量は相対的に小さくなる。
【００３９】
圧縮された２種類の映像データは、バス１５０および第１のインターフェース１７０を介して第１の記録媒体２７０へ転送される。これらの２種類の映像データは、別々のファイルとして第１の記録媒体２７０に記録される。すなわち、高画質エンコーダ１２０によって圧縮された映像データは高画質の映像ファイルとして、低画質エンコーダ１３０によって圧縮された映像データは低画質の映像ファイルとして記録される。同じ記録時間でも、高画質の映像ファイルはサイズが大きく、低画質の映像ファイルはサイズが小さくなる。なお、ここでは第１の記録媒体２７０に高画質の映像ファイルおよび低画質の映像ファイルが記録されるものとしたが、第２の記録媒体２８０にこれらの映像ファイルを記録してもよい。また、高画質の映像ファイルと低画質の映像ファイルとを異なる記録媒体に記録してもよい。あるいは、第１の記録媒体２７０に優先的に記録し、第１の記録媒体２７０の容量を超過した場合には第２の記録媒体２８０に記録するようにしてもよい。
【００４０】
コントローラ１４０は、バス１５０を介した映像データの転送制御や、映像データをファイルとして記録する動作の制御を行う。コントローラ１４０は、特定の記録媒体において、ネットワーク２１０を介した映像データの送信とデータの記録とが競合するときには、記録先の記録媒体を変更する制御を行う。
【００４１】
以上のような動作により、撮像装置２００で撮影される度に、撮影された映像は高画質および低画質の映像ファイルとして２つの記録媒体２７０、２８０に次々と記録されていく。なお、音声についてはデータ量が映像よりも小さく、装置への影響が小さい。従って、音声の記録については説明を省略する。
【００４２】
ネットワーク通信部１６０は、有線または無線で撮像装置２００をネットワーク２１０に接続する。図１に示す撮像装置１００と同様、ネットワーク通信部１６０は、ネットワーク２１０を介して、遠隔地の放送局２２０内のコンピュータや、放送局２２０とは異なる場所に設置されたサーバー２３０に接続される。
【００４３】
報道ニュースのように、速報性を要する用途で撮像装置２００を用いる場合、放送局２２０は取材現場の撮像装置２００によって撮影された映像を、ネットワーク２１０を介して入手することができる。サーバー２３０は、例えばインターネットを介してアクセス可能なデータ保存装置であり、ネットワーク２１０を介して映像ファイルなどを保存することができる。また、サーバー２３０は、ネットワーク２１０を介して、その映像ファイルを特定のユーザに公開する機能を備えていてもよい。
【００４４】
ここで、取材現場の撮像装置２００がどのような映像を撮影したのかを、放送局２２０側で把握したい場合を想定する。ここで、取材現場の撮像装置２００は、図５に示す低画質エンコーダ１３０によって撮影済みの映像をデータ量の小さい低画質の映像ファイルとして第１の記録媒体２７０に記録済みであるとする。
【００４５】
この場合、放送局２２０は、ネットワーク２１０を介して取材現場の撮像装置２００にアクセスし、低画質の映像ファイルを要求する。この際、ネットワーク通信部１６０を介してデータアクセスの要求がコントローラ１４０へ伝達される。コントローラ１４０は、第１の記録媒体２７０に記録済みの低画質の映像ファイルを読み出し、ネットワーク通信部１６０を介してネットワーク２１０に送信する。低画質の映像ファイルはデータ量が小さいため、短時間でネットワーク経由の転送が完了する。このようにして放送局２２０は、取材現場の撮像装置２００が収録した映像のうち、低画質の映像ファイルを、ネットワーク２１０を介して短時間で取得し、その内容を確認することができる。
【００４６】
なお、取材現場の撮像装置２００は、撮影を行う毎に、低画質の映像ファイルを放送局２２０へ送信するように制御しても良い。低画質の映像ファイルはネットワーク２１０を介して短時間で転送できるため、次の新たな撮影を妨げることはない。この場合、取材現場の撮像装置２００が新たな映像を撮影する毎に、放送局２２０には低画質の映像ファイルが転送される。従って、放送局２２０には常に取材現場の撮像装置２００によって撮影された低画質の映像ファイルが保持されており、いつでも内容を把握することができる。
【００４７】
次に、放送局２２０が低画質の映像ファイルの内容を把握した後、その中で特定の映像について高画質の映像ファイルを取得したい場合を想定する。これは例えば、報道ニュース番組などで放送に使用したいシーンが見つかり、番組で使う放送用の高画質の映像を入手する場合などである。
【００４８】
この場合、まず、放送局２２０は、ネットワーク２１０を介して撮像装置２００に高画質の映像ファイルを要求する。このとき、ネットワーク通信部１６０を介してデータアクセスの要求がコントローラ１４０へ伝達される。ここでは、データアクセスの要求は、第１の記録媒体２７０に記録されている映像ファイルに対してなされたものとする。
【００４９】
しかし、ここで、撮像装置１００が、新たな映像を記録中であるとする。すなわち、第１の記録媒体２７０は、バス１５０を介して高画質エンコーダ１２０および低画質エンコーダ１３０が出力する映像データを記録している最中である。もし第１の記録媒体２７０が同時録再に対応した高性能な記録媒体であれば、新たな映像の記録動作と、記録済みの高画質の映像データの読み出し動作とを同時に行うことが可能である。しかし、本実施形態における記録媒体２７０、２８０は、撮像装置２００が取り扱う高い映像ビットレートの映像を同時録再できる程の性能を備えていない。仮に同時録再が可能な程度の高い性能を記録媒体２７０、２８０に要求すると、記録媒体２７０、２８０のみならず、周辺のインターフェース１７０、１８０その他のハードウェアにも非常に高い性能が必要になるため、装置のコストが増大する。
【００５０】
そこで、本実施の形態では、コントローラ１４０は、ネットワーク送信要求に係る記録媒体に新たな映像データを記録している最中であると判断すると、記録動作を継続したまま、記録先の記録媒体をシフトさせる制御を行う。具体的には、図６に示すように、コントローラ１４０は、ネットワーク送信要求を受信すると、第１の記録媒体２７０に記録中だった高画質の映像ファイルＨ１および低画質の映像ファイルＬ１を一旦クローズする。そして、第２の記録媒体２８０に高画質の映像ファイルＨ２および低画質の映像ファイルＬ２をオープンし、続きの映像を記録する。すなわち、映像データの記録対象を第１の記録媒体２７０から第２の記録媒体２８０にシフトさせる。
【００５１】
図７は、このときのコントローラ１４０の動作を示すフローチャートである。コントローラ１４０は、ネットワーク送信要求があったか否かを常時監視している（Ｓ７０１）。ネットワーク送信要求があったことを検知すると、ネットワーク通信部１６０を介して要求された高画質の映像ファイルがどの記録媒体に格納されているかを特定する（Ｓ７０２）。この例では、要求された高画質の映像ファイルが第１の記録媒体２７０に格納されていると判断される。そして、コントローラ１４０は、第１の記録媒体２７０が、現在、新たな映像を記録している最中であるか否かを判定する（Ｓ７０３）。当該記録媒体が新たな映像を記録している最中である場合、前述のシフト制御を行うことにより、記録先をもう一方の記録媒体、すなわち第２の記録媒体２８０にシフトさせる（Ｓ７０４）。その後、コントローラ１４０は、記録動作から開放された第１の記録媒体２７０にアクセスし、ネットワーク通信部１６０から要求された高画質の映像ファイルを読み出し、ネットワーク通信部１６０を介してネットワーク２１０へ送信する（Ｓ７０５）。なお、コントローラ１４０は、ステップＳ７０３において、要求された映像ファイルを格納している記録媒体に記録中ではないと判定した場合は、ステップＳ７０４をスキップしてステップＳ７０５を実行する。
【００５２】
以上の動作の結果、取材現場の撮像装置２００が記録中であっても、放送局２２０はネットワーク２１０を介して、高画質の映像データを取材現場の撮像装置２００から取得することができる。なお、上記の例では高画質の映像データを送信する場合を想定したが、低画質の映像データを送信する際にも上記の制御を行ってもよい。また、上記の例では、第１の記録媒体２７０についての映像データの記録および送信が競合する場合を想定したが、第２の記録媒体２８０についても全く同様の制御を適用してもよい。
【００５３】
［１−３．効果等］
以上の制御により、第１の記録媒体２７０および第２の記録媒体２８０には、一度にデータの書込みおよび読出しの両方の動作が発生することはない。従って、１つの記録媒体が同時にデータの書込みおよび読出しを実行できる性能を備えている必要はないため、記録媒体２７０、２８０、および周辺のハードウェアのコストを下げることができる。
【００５４】
また、放送局２２０は取材現場の撮像装置２００が新たな映像を収録中であっても、高画質の映像を取得することが可能となるため、利便性が向上する。
【００５５】
（実施の形態２）
次に、第２の実施の形態による撮像装置について説明する。前述の実施の形態１では、記録動作中の撮像装置が、既に収録済みの高画質の映像ファイルをネットワーク経由で送信する例について説明した。本実施の形態では逆に、既に収録済みの高画質ファイルをネットワーク経由で送信中の撮像装置が、新たに記録動作を開始する例について説明する。
【００５６】
［２−１．構成］
本実施の形態における撮像装置の物理構成は、図５に示す構成と同一である。したがって、各構成要素の説明は省略する。本実施形態では、コントローラ１４０が実行する処理が実施形態１のものとは異なっている。
【００５７】
［２−２．動作］
以下、本実施形態の撮像装置２００の動作を説明する。本実施形態でも図１に示す構成と同様、撮像装置２００は、ネットワーク２１０を介して放送局２２０およびサーバー２３０に接続される。以下の説明では、取材現場の撮像装置２００がアイドル状態、すなわち、記録動作も再生動作も行なっていない時に、放送局２２０がネットワーク２１０経由で高画質の映像データを撮像装置２００に要求したと仮定する。ここでも、要求された高画質の映像データは第１の記録媒体２７０に格納されているものとする。
【００５８】
このとき、撮像装置２００では、ネットワーク通信部１６０を介してデータアクセスの要求がコントローラ１４０へ伝達される。コントローラ１４０は、本実施形態でも図７に示すフローに従って動作する。すなわち、コントローラ１４０は、ネットワーク送信要求があったか否かを常時監視している（Ｓ７０１）。ネットワーク送信要求があったことを検知すると、ネットワーク通信部１６０を介して要求された高画質の映像ファイルがどの記録媒体に格納されているかを特定する（Ｓ７０２）。この例では、要求された高画質の映像ファイルが第１の記録媒体２７０に格納されていると判断される。コントローラ１４０は、第１の記録媒体が、現在、新たな映像を記録している最中であるか否かを判定する（Ｓ７０３）。この例では、第１の記録媒体２７０は、現在、記録も再生も行なっていないため、コントローラ１４０は、第１の記録媒体２７０にアクセスし、ネットワーク通信部１６０から要求された高画質の映像ファイルを読み出し、ネットワーク通信部１６０を介してネットワークへ送信を開始する（Ｓ７０５）。
【００５９】
高画質の映像ファイルはデータ量が大きいため、ネットワークを介した送信には長い時間がかかる。ここで、取材現場の撮像装置で新たに映像を記録する必要性が生じたとする。撮像装置１００は、まだネットワークを介して高画質の映像ファイルを送信中であるとすると、高画質の映像ファイルが格納された第１の記録媒体２７０から、映像データの読み出し処理が行なわれている。この場合、コントローラ１４０は、新たに記録動作を開始する際に、現在、映像データの読み出しが行なわれている第１の記録媒体２７０ではなく、もう一方の記録媒体である第２の記録媒体２８０を用いて記録を行う。
【００６０】
図８は、このときのコントローラ１４０の動作の例を示すフローチャートである。コントローラ１４０は、撮影が開始されたか否かを常時監視している（Ｓ８０１）。撮影者が撮影開始ボタンを押下する等の動作を行うと、撮影が開始される。コントローラ１４０は、撮影の開始を検知すると、映像データを記録する予定の第１の記録媒体２７０から現在データが送信されている最中か否かを判定する（Ｓ８０２）。この例では、第１の記録媒体２７０から映像データの読出し処理が行われている最中であるため、コントローラ１４０は、撮影した映像データの記録先を第１の記録媒体２７０から第２の記録媒体２８０に変更する（Ｓ８０３）。その後、第２の記録媒体２８０への映像データの記録が実行される（Ｓ８０４）。なお、ステップＳ８０２において、記録予定の記録媒体（この例では第１の記録媒体２７０）からデータの読出しが行われていない場合には、ステップＳ８０４に進み、当該記録媒体に映像データの記録が実行される。
【００６１】
撮像装置１００が記録動作を開始すると、撮像部１１０によって生成された映像信号は、高画質エンコーダ１２０および低画質エンコーダ１３０で同時に圧縮される。圧縮された２種類の映像データは、バス１５０を介して第２の記録媒体２８０へ転送され、高画質の映像ファイルおよび低画質の映像ファイルとして別々のファイルに記録される。
【００６２】
コントローラ１４０は、バス１５０を経由して記録のための映像データの転送制御や、映像データをファイルとして記録する動作の制御などを行う。また、この間、コントローラ１４０は第１の記録媒体２７０から高画質の映像ファイルを読み出し、ネットワーク通信部１６０を介してネットワークへ送信する動作も継続する。この結果、撮像装置１００は、ネットワーク経由で高画質の映像を送信しながら、新たに映像の記録を行うことが可能となる。
【００６３】
［２−３．効果等］
以上の制御により、第１の記録媒体２７０および第２の記録媒体２８０には、一度にデータの書込みおよび読出しの両方の動作が発生することはない。従って、１つの記録媒体が同時にデータの書込みおよび読出しを実行できる性能を備えている必要はないため、記録媒体２７０、２８０、および周辺のハードウェアのコストを下げることができる。
【００６４】
また、取材現場の撮像装置２００のユーザは、放送局２２０がネットワーク２１０経由で、撮像装置２００のどちらの記録媒体の高画質の映像データにアクセスしているか意識する必要はなく、いつでも収録を開始することが可能となるため、利便性が向上する。
【００６５】
（実施の形態３）
次に実施の形態３について説明する。前述の実施の形態１および実施の形態２では、放送局側が主体となって、必要な高画質の映像ファイルをネットワーク経由で取材現場の撮像装置に要求する例について説明した。本実施の形態では、取材現場のカメラ側が主体となって、取材現場から送信したい高画質の映像ファイルを予め設定して送信する例について説明する。本実施の形態でも、図１に示すようなネットワーク構成を想定する。
【００６６】
［３−１．構成］
図９は、本実施の形態における撮像装置３００の概略構成を表すブロック図である。図９に示すように、撮像装置３００は、撮像部３１０、高画質エンコーダ３２０、高画質デコーダ３３０、コントローラ３４０、バス３５０、ネットワーク通信部３６０、第１のインターフェース３７０、第２のインターフェース３８０、ディスプレイ３９０、メモリ４１０、および操作部４２０を含む。撮像部３１０はレンズやセンサなどの光学手段を含み、高画質エンコーダ３２０に接続される。高画質エンコーダ３２０、高画質デコーダ３３０、コントローラ３４０、ネットワーク通信部３６０、第１のインターフェース３７０、第２のインターフェース３８０は、それぞれバス３５０に接続される。なお、説明を簡単にするために、実施の形態１で説明した低画質のエンコーダについては、図８では省略しているが、本実施の形態でも同様に低画質のエンコーダを備えても良い。
【００６７】
高画質デコーダ３３０は、再生時に、記録媒体に記録された符号化された高画質の映像データを復号化し、ディスプレイ３９０に出力する回路である。ディスプレイ３９０は、例えば液晶や有機ＥＬのディスプレイであり、高画質デコーダ３３０によって復号化された映像を表示する。操作部４２０は、ユーザからの操作を受け付けるボタン、レバー類である。操作部４２０は、ディスプレイ３９０と一体化されたタッチパネルを含んでいてもよい。ユーザが操作部４２０を操作することにより、撮影の開始および終了の指示、再生の開始および終了の指示、その他各種の設定を行うことができる。高画質デコーダ３３０、ディスプレイ３９０、操作部４２０以外の要素の物理構成は、実施の形態１および２におけるものと同様であるため、説明を省略する。
【００６８】
［３−２．動作］
以上のように構成された本実施の形態における撮像装置３００について、その動作を説明する。本実施の形態でも、映像データの記録先が第１の記録媒体２７０である場合を例に説明を行う。撮像部３１０によって生成された映像信号は、高画質エンコーダ３２０で圧縮される。圧縮された映像データは、バス３５０および第１のインターフェース３７０を介して第１の記録媒体２７０へ転送され、高画質の映像ファイルとして記録される。コントローラ３４０は、バス３５０を経由した映像データの転送制御や、映像データをファイルとして記録する動作の制御などを行う。
【００６９】
また撮像装置３００は、映像を再生するための高画質デコーダ３３０およびディスプレイ３９０を備えている。第１の記録媒体２７０にファイルとして記録された映像の再生時には、当該映像ファイルは、コントローラ３４０によって読み出され、バス３５０を介して、高画質デコーダ３３０へ転送される。高画質デコーダ３３０は、圧縮された映像データを伸張し、ディスプレイ３９０に出力する。これにより、ディスプレイ３９０に映像が表示される。同様に、第２の記録媒体２８０に記録されている映像も、ディスプレイ３９０に表示させることができる。このようにして撮像装置３００は、収録した映像を再生することができる。
【００７０】
ここで、取材現場において、ユーザが撮像装置３００で再生された映像を見て、特定のシーンをネットワーク経由で放送局２２０またはサーバー２３０へ送信したい場合を想定する。これは、報道ニュースなどで、取材現場で撮影された重要なシーンを、取材現場の担当者が主体となってテレビ局やサーバーに送信するケースなどである。
【００７１】
撮像装置３００は、ネットワーク通信部３６０を備えており、有線または無線で撮像装置３００をネットワーク２１０に接続し、データを送受信することができる。本実施の形態では、映像を収録した取材現場側の担当者が送信する映像を設定し、撮像装置２００がネットワーク２１０を介して、放送局２２０またはサーバー２３０に映像を送信する。
【００７２】
前述のように、図９に示す撮像装置３００は、収録済みの映像を再生するための高画質デコーダ３３０およびディスプレイ３９０を有している。撮像装置３００のユーザは、収録した映像をディスプレイ３９０で確認しながら、操作部４２０を介して、再生中の映像における任意の位置を開始位置として指定し、任意の位置を終了位置として指定することができる。そして、指定した開始位置から終了位置までの区間の映像を、ネットワーク経由で送信すべき映像のリスト（送信リスト）として設定することができる。指定された映像、開始位置、および終了位置などの情報は、撮像装置３００のメモリ４１０に送信リストとして保持される。
【００７３】
図１０は、映像の送信順序を管理する送信リスト４００の例を示す図である。送信リスト４００は、図９に示す撮像装置３００に装着された第１の記録媒体２７０および第２の記録媒体２８０に記録された映像ファイルのうち、ネットワーク経由で送信したい部分を、リスト形式で保持している。送信リスト４００に記述される内容は、例えば映像を識別するためのクリップ名またはファイル名、送信したい映像区間の開始位置および終了位置、映像が格納された記録媒体を識別する情報などである。送信リスト４００は、送信対象のクリップの情報を優先順位を示す情報とともに複数個保持することができる。図９に示すコントローラ３４０は、ユーザの指示または予め定められた送信スケジュール等に従って、図１０の送信リスト４００に従って、優先順位の高いものから順番に、ネットワーク２１０を介して映像を順次送信する。
【００７４】
図９に示す撮像装置３００において、送信リストはメモリ４１０に格納されている。コントローラ３４０は、図１０の送信リスト４００に示された優先順位に従って、まず、優先順位が１番であるクリップ名Ｖｉｄｅｏ１の映像を送信する処理を開始する。送信リスト４００において、クリップ名Ｖｉｄｅｏ１は、記録媒体Ｄｅｖｉｃｅ  Ａに格納されている。ここでは、Ｄｅｖｉｃｅ  Ａが図９における第１の記録媒体２７０であるとする。コントローラ３４０は、第１の記録媒体２７０にアクセスし、クリップ名Ｖｉｄｅｏ１に相当するファイルから、リストで指定された開始位置から終了位置までを含む映像データを読み出しながら、バス３５０経由でネットワーク通信部３６０に転送する。ネットワーク通信部３６０は、ネットワーク２１０を介して、放送局２２０またはサーバー２３０に映像データを送信する。
【００７５】
ここで、送信中の映像データは高画質の映像データであり、データ量が大きいため、ネットワーク２１０を介した送信には時間がかかる場合がある。この間に、図９に示す撮像装置３００が新たな映像を記録する必要性が生じることも考えられる。このような場合、実施の形態２で示した制御、すなわち、もう一方の記録媒体２８０を用いて新たな映像の記録を開始する制御が行われる。
【００７６】
図１１は、本実施形態における記録制御の例を示す図である。ネットワーク送信中は、第１の記録媒体２７０から高画質の映像データ（Ｖｉｄｅｏ１）が読み出されている。従って、コントローラ３４０は、もう一方の記録媒体である第２の記録媒体２８０に映像データ（映像ファイル１）の記録を行う。これによって、撮像装置３００は、第１の記録媒体２７０から高画質の映像データを読み出して、ネットワーク通信部３６０から送信する動作と、撮像部３１０から出力された映像信号を高画質エンコーダ３２０で圧縮し、第２の記録媒体２８０に記録する動作とを両立することができる。
【００７７】
やがて、ネットワーク経由で図９のクリップ名Ｖｉｄｅｏ１の映像の送信が終了すると、次にコントローラ３４０は、図１０の送信リスト４００に示された２番目の優先順位であるクリップ名Ｖｉｄｅｏ２の映像を送信する処理を開始する。送信リスト４００において、クリップ名Ｖｉｄｅｏ２は、記録媒体Ｄｅｖｉｃｅ  Ｂに格納されている。ここでは、Ｄｅｖｉｃｅ  Ｂは図９における第２の記録媒体２８０であるとする。
【００７８】
しかし、第２の記録媒体２８０は、現在、新たな映像データである映像ファイル１を記録中である。このような場合、実施の形態１で示した制御、すなわち、記録の対象となる記録媒体を別の記録媒体（第１の記録媒体２７０）へシフトする制御に従う。
【００７９】
このとき、撮像装置３００は、第２の記録媒体２８０に映像ファイル１を記録中である。そこで、コントローラ３４０は、第２の記録媒体２８０に記録中だった高画質の映像ファイル１を一旦クローズし、第１の記録媒体２７０に高画質の映像ファイル２を新たにオープンし、続きの映像を記録する。すなわち、映像データの記録対象を第２の記録媒体２８０から第１の記録媒体２７０にシフトする。
【００８０】
そしてコントローラ３４０は、図１０の送信リスト４００に示された２番目の優先順位であるクリップ名Ｖｉｄｅｏ２の映像を送信する処理を行う。図９のコントローラ３４０は、記録動作から開放された第２の記録媒体２８０にアクセスし、クリップ名Ｖｉｄｅｏ２に相当するファイルにアクセスし、リストで指定された開始位置から終了位置までを含む映像データを読み出しながら、バス３５０経由でネットワーク通信部３６０に転送する。ネットワーク通信部３６０は、ネットワーク２１０を介して、放送局２２０または、サーバー２３０に映像データを送信する。
【００８１】
このように、ネットワーク２１０経由で送信したい映像データが、現在記録中の記録媒体に存在する場合、記録動作をシフトすることで、撮像装置の記録動作を継続させながら、送信リストの優先順位に従って、ネットワーク経由で映像データを送信することができる。
【００８２】
以下、同様に、リストの優先順位に沿ったネットワーク経由のデータ送信と、記録媒体の記録シフト制御とが交互に行なわれる。
【００８３】
ネットワーク２１０経由でクリップ名Ｖｉｄｅｏ２の映像の送信が終了すると、次にコントローラ３４０は、図１０の送信リスト４００に示された３番目の優先順位であるクリップ名Ｖｉｄｅｏ３の映像を送信する処理を開始する。送信リスト４００において、クリップ名Ｖｉｄｅｏ３は、記録媒体Ｄｅｖｉｃｅ  Ａ、即ち第１の記録媒体２７０に格納されている。  第１の記録媒体２７０は、現在、映像データを記録中である。コントローラ３４０は第１の記録媒体２７０に記録中だった高画質の映像ファイル２を一旦クローズし、第２の記録媒体２８０に高画質の映像ファイル３を新たにオープンし、続きの映像を記録する。すなわち、映像データの記録対象を第１の記録媒体２７０から第２の記録媒体２８０にシフトする制御を行う。
【００８４】
そしてコントローラ３４０は、図１０の送信リスト４００に示された３番目の優先順位であるクリップ名Ｖｉｄｅｏ３の映像を送信する処理を行う。コントローラ３４０は記録動作から開放された第１の記録媒体２７０にアクセスし、クリップ名Ｖｉｄｅｏ３に相当するファイルにアクセスし、リストで指定された開始位置から終了位置までを含む映像データを読み出しながら、バス３５０経由でネットワーク通信部３６０に転送する。ネットワーク通信部３６０は、ネットワーク２１０を介して、放送局２２０または、サーバー２３０に映像データを送信する。
【００８５】
［３−３．効果等］
以上のように、本実施の形態では、取材現場の撮像装置３００の使用者が送信したい映像を設定し、ネットワーク経由で送信することができる。この送信の間、撮像装置３００は新たな映像記録を開始することが可能である。ネットワーク経由で送信したい映像が、記録動作を行なっている記録媒体上にある場合は、記録動作がシフト制御される。これによって、映像の記録を継続したまま、ネットワーク経由の映像送信も継続することができ、利便性が向上する。また、各記録媒体は、映像の読み出しと記録とを同時に行なわないように制御されるため、記録媒体に高い性能が要求される同時録再機能を必要とせず、記録媒体のコストを抑えることができる。
【００８６】
（他の実施の形態）
以上のように、本出願において開示する技術の例示として、実施の形態１〜３を説明した。しかしながら、本開示における技術は、これに限定されず、適宜、変更、置き換え、付加、省略などを行った実施の形態にも適用可能である。また、上記実施の形態１〜３で説明した各構成要素を組み合わせて、新たな実施の形態とすることも可能である。
【００８７】
そこで、以下、他の実施の形態を例示する。
【００８８】
実施の形態３では、図１０の送信リスト４００において、送信したい映像区間の開始位置と終了位置をタイムコード表示で設定したが、この方法に限られない。例えば、送信したい映像を含むファイルのバイト位置や、ファイル全体を指定するように構成されていても良い。
【００８９】
実施の形態３では、図９の撮像装置３００を操作して映像を再生し、図１０の送信リスト４００を作成する例を説明したが、この送信リスト４００は放送局２２０が作成して撮像装置２００へ送付しても良い。また、撮像装置２００に接続可能な他の端末が送信リストを生成して撮像装置２００へ送付しても良い。この場合、送信リスト４００には映像が格納された記録媒体の情報が無くても良い。また、送信対象を特定する情報は、図１０に示すような送信リストに限らず、ネットワークに送信すべき映像データを特定するものであればどのような情報であってもよい。
【００９０】
実施の形態１から３で説明した撮像装置のネットワーク通信部は、イーサネット（登録商標）やＵＳＢなどの有線ネットワーク、または、ワイヤレスＬＡＮやＷｉＭＡＸ（登録商標）や携帯電話網などの無線ネットワークのいずれのネットワークに対応したネットワークインターフェースでも良い。また、今後登場する新たな有線または無線ネットワークを利用しても良い。
【００９１】
実施の形態１から３で説明した記録媒体は、メモリ媒体、ディスク媒体など、いずれの記録媒体でも良い。また、メモリ媒体とディスク媒体など、異なる記録媒体を組み合わせても同様の効果が得られる。
【００９２】
さらに、実施の形態１から３で説明した撮像装置に接続される記録媒体の数は２個であるが、撮像装置は３個以上の記録媒体に接続できるように構成されていてもよい。その場合、各記録媒体について、映像データの記録とネットワークを介した映像データの送信とが重なるタイミングにおいて、映像データの記録先の記録媒体を変更する制御が行われる。
【００９３】
図１２は、一例として、３個の記録媒体に接続可能な撮像装置５００の構成を示すブロック図である。撮像装置５００は、実施の形態３における撮像装置３００の構成要素に加えて、第３のインターフェース４３０をさらに備え、第３の記録媒体２９０に接続可能に構成されている。この構成例では、コントローラ３４０は、第１から第３の記録媒体２７０、２８０、２９０の各々について、映像データの書込みと読出しが同時刻に生じないように、映像データの記録先を適切に制御するように構成される。コントローラ３４０は、例えば、第１の記録媒体２７０において、記録と送信のタイミングが重なったときには、第２の記録媒体２８０に代わりに記録し、第２の記録媒体２８０において、記録と送信のタイミングが重なったときには、第３の記録媒体２９０に代わりに記録するといった制御を行う。これにより、いずれの記録媒体においても、記録と送信とが競合することがないため、同時録再の機能を備えた記録媒体を用いることなく、撮影とネットワーク送信とを同時に行うことができる。
【００９４】
以上のように、本開示における技術の例示として、実施の形態を説明した。そのために、添付図面および詳細な説明を提供した。
【００９５】
したがって、添付図面および詳細な説明に記載された構成要素の中には、課題解決のために必須な構成要素だけでなく、上記技術を例示するために、課題解決のためには必須でない構成要素も含まれ得る。そのため、それらの必須ではない構成要素が添付図面や詳細な説明に記載されていることをもって、直ちに、それらの必須ではない構成要素が必須であるとの認定をするべきではない。
【００９６】
また、上述の実施の形態は、本開示における技術を例示するためのものであるから、特許請求の範囲またはその均等の範囲において種々の変更、置き換え、付加、省略などを行うことができる。
【産業上の利用可能性】
【００９７】
本開示における技術は、ネットワーク機能を備えた撮像装置において、映像を記録する動作と、ネットワークを介して映像を送信する動作とを同時に実行するカメラに利用され得る。
【符号の説明】
【００９８】
１００  撮像装置
１１０  撮像部
１２０  高画質エンコーダ
１３０  低画質エンコーダ
１４０  コントローラ
１５０  バス
１６０  ネットワーク通信部
１７０  第１のインターフェース
１８０  第２のインターフェース
１９０  メモリ
２００  撮像装置
２１０  ネットワーク
２２０  放送局
２３０  サーバー
２７０  第１の記録媒体
２８０  第２の記録媒体
２９０  第３の記録媒体
３００  撮像装置
３１０  撮像部
３２０  高画質エンコーダ
３３０  高画質デコーダ
３４０  制御手段
３５０  バス
３６０  ネットワーク通信部
３７０  第１の記録媒体
３８０  第２の記録媒体
３９０  ディスプレイ
４００  送信リスト
４１０  メモリ
４２０  操作部
４３０  第３のインターフェース
【図１】
2013214346.tif 000003
【図２】
2013214346.tif 000004
【図３】
2013214346.tif 000005
【図４】
2013214346.tif 000006
【図５】
2013214346.tif 000007
【図６】
2013214346.tif 000008
【図７】
2013214346.tif 000009
【図８】
2013214346.tif 000010
【図９】
2013214346.tif 000011
【図１０】
2013214346.tif 000012
【図１１】
2013214346.tif 000013
【図１２】
2013214346.tif 000014